(57)【要約】【課題】  ユーザーの目に負担をかけず、従来通りの操作方法で、チャンネル切り換え速度の遅さによってユーザーに与えるストレスを軽減するデジタル放送受信装置を提供する。【解決手段】  選局部２ａでの視聴チャンネルの受信とは別に、選局部２ｂにおいてバックグラウンドで視聴チャンネル以外のチャンネルを受信し、番組情報抽出部１２で番組情報データを抽出して蓄積部１３に蓄積する。ユーザーがチャンネルを切り換えた際、現在視聴しているチャンネルの画像を表示部９に表示したまま、ＯＳＤ処理部８で切り換えチャンネルの番組情報を合成して表示するとともにバックグラウンド受信していた選局部２ｂで切り換えチャンネルの受信を開始し、切り換えチャンネルの画像が安定したら表示チャンネルを切り換える。【選択図】  図１
2006197492.tif 000002
【特許請求の範囲】
【請求項１】
放送電波からユーザー操作に基づく所望チャンネルを選択的に受信するデジタル放送受信装置であって、
前記放送電波から所定のチャンネルに対応する画像符号化データと番組情報データとを分離する２つの選局手段と、
これら２つの選局手段の少なくとも一方から前記番組情報データを抽出する番組情報抽出手段と、
この番組情報抽出手段により抽出された前記番組情報データを蓄積する番組情報蓄積手段と、
ユーザーが選択したチャンネルを検出するチャンネル検出手段と、
前記２つの選局手段から前記画像符号化データが入力され、前記チャンネル検出手段で検出したチャンネルに応じて前記２つの選局手段のいずれか一方を選択し、選択した一方から入力された前記画像符号化データを出力するデータ選択手段と、
このデータ選択手段から出力された前記画像符号化データを復号して画像表示するための画像データを生成する画像データ復号手段と、
前記番組情報蓄積手段に蓄積された前記番組情報データを順次切り換えて前記画像データと合成する番組情報合成手段と、
前記画像データ又は前記番組情報データが合成された画像データが入力され、前記画像データに対応する画像又は前記番組情報データが合成された画像データに対応する画像と番組情報とを表示する表示手段とを備え、
前記チャンネル検出手段によりチャンネルの切り換えを検出した場合は、その時表示されているチャンネルに対応する画像を表示したままチャンネル切り換え後のチャンネルに対応する番組情報を表示し、切り換え後のチャンネルに対応する画像が表示可能になった時点で画像表示を切り換えることを特徴とするデジタル放送受信装置。
【請求項２】
放送電波からユーザー操作に基づく所望チャンネルを選択的に受信するデジタル放送受信装置であって、
前記放送電波から所定のチャンネルに対応する画像符号化データと番組情報データとを分離する２つの選局手段と、
これら２つの選局手段の少なくとも一方から前記番組情報データを抽出する番組情報抽出手段と、
この番組情報抽出手段により抽出された前記番組情報データを蓄積する番組情報蓄積手段と、
ユーザーが選択したチャンネルを検出するチャンネル検出手段と、
前記２つの選局手段から前記画像符号化データが入力され、前記チャンネル検出手段で検出したチャンネルに応じて前記２つの選局手段のいずれか一方を選択し、選択した一方から入力された前記画像符号化データを出力するデータ選択手段と、
このデータ選択手段から出力された前記画像符号化データを復号して画像表示するための画像データを生成する画像データ復号手段と、
前記番組情報蓄積手段に蓄積された前記番組情報データを順次切り換えて前記画像データと合成する番組情報合成手段と、
前記画像データ又は前記番組情報データが合成された画像データが入力され、前記画像データに対応する画像又は前記番組情報データが合成された画像データに対応する画像と番組情報とを表示する表示手段と、
ユーザー操作に基づくチャンネルの切り換え操作が連続操作であるかどうかを検出する計時手段とを備え、
前記チャンネル検出手段によりチャンネルの切り換えを検出した場合は、その時表示されているチャンネルに対応する画像を表示したままチャンネル切り換え後のチャンネルに対応する番組情報を表示し、さらに前記計時手段によりチャンネル切り換え操作が連続操作であることを検出したときには番組情報のみを順次切り換えて表示し、チャンネルが決定された後、決定されたチャンネルに対応する画像が表示可能になった時点で画像表示を切り換えることを特徴とするデジタル放送受信装置。
【発明の詳細な説明】
【技術分野】
【０００１】
本発明は、デジタルテレビ放送を受信するためのデジタル放送受信装置に関する。
【背景技術】
【０００２】
デジタル放送においては、従来のアナログ放送とは異なり、チャンネルを切り換えた際にデジタル信号の処理に１〜２秒程度の時間を要する。このためユーザーがチャンネルを切り換える操作を行ってもすぐにはチャンネルが切り換わらず、ユーザーに多大なストレスを与えている。
【０００３】
特に、コマーシャルが放送されている場合等に次から次へとチャンネルを変更しながら興味のある番組を探す、チャンネルのザッピング操作と呼ばれる行為においては、チャンネル切り換え速度の遅さは操作上の問題となる。
【０００４】
また、最近のテレビジョン受像機やＤＶＤレコーダなどのデジタル放送受信機器では、ＢＳ（Ｂｒｏａｄｃａｓｔｉｎｇ  Ｓａｔｅｌｌｉｔｅ）デジタル放送 、ＣＳ（Ｃｏｍｍｕｎｉｃａｔｉｏｎ  Ｓａｔｅｌｌｉｔｅ）デジタル放送、地上波放送等の受信可能なチャンネルの数が多くなっており、その中からユーザーが見たい番組を探そうとしても、チャンネル切り換え速度の遅さにより、見たい番組になかなか辿り着けないという問題が生じている。
【０００５】
この問題を解決するために、多くのデジタル放送受信機器では、電子番組ガイド（ＥＰＧ：Ｅｌｅｃｔｒｏｎｉｃ  Ｐｒｏｇｒａｍ  Ｇｕｉｄｅ）表を提供している。ＥＰＧ表により、ユーザーはリスト形式又は新聞のテレビ欄のような形式で表示される、現在から先の放送番組情報を閲覧することにより、そこから見たいと思う番組を選択し、視聴や予約録画などを行うことができる。しかしながら、情報の一覧性の問題、操作の煩雑さなどの問題から、チャンネルのザッピング操作には不向きである。
【０００６】
そこで、チャンネル切り換え速度の遅さによりユーザーに多大なストレスを与えるという問題を解決するデジタル放送受信装置として、例えば特許文献１に開示されたものがある。このデジタル放送受信装置は、バックグラウンドで順次チャンネルを受信して復号した各チャンネルの画像データをそれぞれ蓄積し、チャンネル切り換え時の放送データが再生表示できるまでの間、そのチャンネルに該当する蓄積された過去の映像を表示し、現放送が再生表示できるようになったら現放送を表示することで、画面が表示されない時間をなくし、ユーザーの不安感やストレスを軽減する。
【０００７】
また、従来のデジタル放送受信装置において実現されている方法として、チャンネル切り換え時に、番組情報を先に表示し、その後放送画面を表示するものがある。
【０００８】
また、現在視聴している番組を表示しながら、現在放送中の番組情報あるいは次に放送される番組情報を別途リモコンの専用ボタンを押すことによって画面に表示し、例えば十字キーの左右方向によって、表示される番組情報を切り換え、見たいと思った番組を選んで視聴または録画予約などができる機能を備えたものもある。
【特許文献１】特開２００２−１１２１３８号公報
【発明の開示】
【発明が解決しようとする課題】
【０００９】
しかし、特許文献１に示されたデジタル放送受信装置では、蓄積された過去の映像が必ずしも現在放送中の番組を反映しているとは限らず、突然現れる意味不明な映像にユーザーは戸惑うことがあり、また、画面全体が頻繁に切り換わるのでユーザーにとっては目に負担を感じるという問題があった。特に、目に感じる負担は、ディスプレイの大型化、購入ユーザー層の高年齢化に伴い、より大きな影響を与える可能性がある。
【００１０】
また、チャンネル切り換え時に番組情報を先に表示するものは、一旦画面が黒くなった後、番組情報が表示され、受信チャンネルが安定したところで番組画面を表示するので、受信チャンネルが安定するまでの間は番組情報を見ることができ、ある程度はチャンネル切り換えの遅さを紛らわすことが期待できるが、ユーザーはやはり切り換えの遅さを感じ、ストレスを軽減することができなかった。
【００１１】
また、現在視聴している番組を表示しながら、現在放送中の番組情報あるいは次に放送される番組情報を、別途リモコン専用ボタンを押すことによって画面に表示するものは、新たにリモコンボタンを追加しなければならずボタンの配置割付の問題があった。また、ユーザーのチャンネル切り換え操作が１ステップ多くなり、リモコン上から該当するボタンを探す手間も増えるという問題があった。
【００１２】
そこで本発明は、ユーザーの目に負担をかけず、従来通りの操作方法で、チャンネル切り換え速度の遅さによってユーザーに与えるストレスを軽減するデジタル放送受信装置を提供することを目的とする。
【課題を解決するための手段】
【００１３】
本発明のデジタル放送受信装置は、放送電波からユーザー操作に基づく所望チャンネルを選択的に受信するデジタル放送受信装置であって、前記放送電波から所定のチャンネルに対応する画像符号化データと番組情報データとを分離する２つの選局手段と、これら２つの選局手段の少なくとも一方から前記番組情報データを抽出する番組情報抽出手段と、この番組情報抽出手段により抽出された前記番組情報データを蓄積する番組情報蓄積手段と、ユーザーが選択したチャンネルを検出するチャンネル検出手段と、前記２つの選局手段から前記画像符号化データが入力され、前記チャンネル検出手段で検出したチャンネルに応じて前記２つの選局手段のいずれか一方を選択し、選択した一方から入力された前記画像符号化データを出力するデータ選択手段と、このデータ選択手段から出力された前記画像符号化データを復号して画像表示するための画像データを生成する画像データ復号手段と、前記番組情報蓄積手段に蓄積された前記番組情報データを順次切り換えて前記画像データと合成する番組情報合成手段と、前記画像データ又は前記番組情報データが合成された画像データが入力され、前記画像データに対応する画像又は前記番組情報データが合成された画像データに対応する画像と番組情報とを表示する表示手段とを備え、前記チャンネル検出手段によりチャンネルの切り換えを検出した場合は、その時表示されているチャンネルに対応する画像を表示したままチャンネル切り換え後のチャンネルに対応する番組情報を表示し、切り換え後のチャンネルに対応する画像が表示可能になった時点で画像表示を切り換えることを特徴とする。
【００１４】
また、本発明のデジタル放送受信装置は、放送電波からユーザー操作に基づく所望チャンネルを選択的に受信するデジタル放送受信装置であって、前記放送電波から所定のチャンネルに対応する画像符号化データと番組情報データとを分離する２つの選局手段と、これら２つの選局手段の少なくとも一方から前記番組情報データを抽出する番組情報抽出手段と、この番組情報抽出手段により抽出された前記番組情報データを蓄積する番組情報蓄積手段と、ユーザーが選択したチャンネルを検出するチャンネル検出手段と、前記２つの選局手段から前記画像符号化データが入力され、前記チャンネル検出手段で検出したチャンネルに応じて前記２つの選局手段のいずれか一方を選択し、選択した一方から入力された前記画像符号化データを出力するデータ選択手段と、このデータ選択手段から出力された前記画像符号化データを復号して画像表示するための画像データを生成する画像データ復号手段と、前記番組情報蓄積手段に蓄積された前記番組情報データを順次切り換えて前記画像データと合成する番組情報合成手段と、前記画像データ又は前記番組情報データが合成された画像データが入力され、前記画像データに対応する画像又は前記番組情報データが合成された画像データに対応する画像と番組情報とを表示する表示手段と、ユーザー操作に基づくチャンネルの切り換え操作が連続操作であるかどうかを検出する計時手段とを備え、前記チャンネル検出手段によりチャンネルの切り換えを検出した場合は、その時表示されているチャンネルに対応する画像を表示したままチャンネル切り換え後のチャンネルに対応する番組情報を表示し、さらに前記計時手段によりチャンネル切り換え操作が連続操作であることを検出したときには番組情報のみを順次切り換えて表示し、チャンネルが決定された後、決定されたチャンネルに対応する画像が表示可能になった時点で画像表示を切り換えることを特徴とする。
【発明の効果】
【００１５】
本発明のデジタル放送受信装置によれば、ユーザーがチャンネル切り換え操作を行うと、予め蓄積しておいた切り換え後の番組情報を表示し、連続的な切り換え操作かどうかを検出し、連続的な切り換え操作であれば、現在視聴していた番組を表示したまま番組情報のみを順次切り換え表示し、表示される番組情報からユーザーの興味を持った番組が決定されたら、その番組チャンネルに切り換わるようにすることで、ユーザーの目に負担をかけず、従来通りの操作方法で、チャンネル切り換え速度の遅さによってユーザーに与えるストレスを軽減することができる。
【発明を実施するための最良の形態】
【００１６】
以下、本発明の実施の形態を図面を参照して説明する。
【００１７】
（実施例１）
本発明のデジタル放送受信装置の実施例１を図１及び図２に基づいて説明する。図１は本発明の実施例１のデジタル放送受信装置を示すブロック図、図２は図１に示すデジタル放送受信装置の動作を示すフローチャートである。なお、本発明の特徴を説明するため、受信信号において音声信号処理に関する内容は省略し、画像信号及び番組情報データ信号の処理についてのみ説明する。
【００１８】
図１に示すように実施例１のデジタル放送受信装置は、アンテナ１と、選局部２ａ及び２ｂと、セレクタ６と、ＭＰＥＧビデオデコード部７と、ＯＳＤ処理部８と、表示部９と、Ｉ／Ｆ部１０と、制御部１１と、番組情報抽出部１２と、蓄積部１３とを備えている。
【００１９】
アンテナ１は、放送電波を受信し選局部２ａ及び２ｂに出力する。
【００２０】
選局部２ａは、安定した画像が得られる所定の選局をするチューナー部３ａと、チューナー部３ａにより選局された信号を復調する復調部４ａと、復調信号をトランスポートストリームデータ（ＴＳデータ）に変換し、これを画像符号化データと音声符号化データと番組情報データとに分離するＴＳ分離部５ａとを備えている。
【００２１】
同様に、選局部２ｂは、選局部２ａで選局されたチャンネル以外のチャンネルのうち１つに応じた選局をするチューナー部３ｂと、チューナー部３ｂにより選局された信号を復調する復調部４ｂと、復調信号をＴＳデータに変換し、これを画像符号化データと音声符号化データと番組情報データとに分離するＴＳ分離部５ｂとを備えている。
【００２２】
選局部を２系統設けることにより、表示部９に現在選択されているチャンネルに対応する画像が表示されている間においても、バックグラウンド処理を行うための受信動作が可能となり、チャンネル切り換え時の画像を予め用意でき、画面表示切り換えの間隔を短縮することができる。
【００２３】
選局部２ａは安定した画像が得られる所定のチャンネルに対応する選局を行う。一方、選局部２ｂは、選局部２ａで選局されたチャンネル以外のチャンネルに対応する選局をバックグラウンドにおいて順次実行する。
【００２４】
選局部２ａ及び２ｂ内部のＴＳ分離部５ａ及び５ｂは、ＴＳデータから分離した画像符号化データをセレクタ６に出力し、番組情報データを番組情報抽出部１２に出力する。
【００２５】
セレクタ６は、選局部２ａ及び２ｂから入力された画像符号化データのうち、一方をＭＰＥＧビデオデコード部７に出力する。
【００２６】
ＭＰＥＧビデオデコード部７は、セレクタ６から入力された画像符号化データを復号化し、復号化した画像データをＯＳＤ処理部８に出力する。なお、ＭＰＥＧビデオデコード部７は、セレクタ６から入力された画像符号化データを復号化する前のデコードＬＳＩやデータを一時的に蓄積するためのバッファとして用いられるワークメモリ（図示せず）などを含む。
【００２７】
ＯＳＤ処理部８は、必要に応じて蓄積部１３に蓄積された番組情報データと画像データとを合成して表示部９に出力する。
【００２８】
表示部９は、画像を表示し、番組情報データが合成されているときは番組情報データが合成された画像を表示する。
【００２９】
Ｉ／Ｆ部１０は、ユーザーによるチャンネル選択指示を受け、これに基づいて制御部１１に信号を出力する。ユーザーが選択した所望チャンネルは、デジタル放送受信装置と一体型に設けられる操作部及び赤外線などにより外部からリモートコントロールする機器によって、Ｉ／Ｆ部１０に入力される。
【００３０】
番組情報抽出部１２は番組情報データをチャンネル送り順に並べ替えた後、蓄積部１３に出力し、蓄積部１３は番組情報データを蓄積する。このとき、得られた番組情報データから視聴可能な番組かどうかを判断し、視聴できないチャンネルはスキップするように設定しても良い。蓄積できるデータの容量に制限がある場合などでは、制御部１１により蓄積されるデータを定期的に更新すると良い。
【００３１】
制御部１１は、安定した画像が得られるチャンネルを選局するように制御信号を例えば
選局部２ａに出力し、選局部２ａ以外のチャンネルを順次選局するように選局部２ｂに制御信号を出力する。また、ユーザーがチャンネルを切り換えた場合、選局部２ｂの順次選局を一時中断させ、ユーザーが切り換えて選択した所望チャンネルを受信するように選局部２ｂに制御信号を出力する。
【００３２】
また、制御部１１は、選局部２ｂにより安定した画像が得られるようになったら、セレクタ６に選局部２ｂを選択するように制御信号を出力し、選局部２ａをユーザーが選択した所望チャンネル以外のチャンネルを順次選局するように制御する。これにより、選局部２ａと選局部２ｂの役割が交代することになる。
【００３３】
また、制御部１１は、セレクタ６に制御信号を出力し、安定した画像が得られる所定のチャンネルを選局している、例えば選局部２ａによって得られた画像符号化データをＭＰＥＧビデオデコード部７に出力するように制御する。
【００３４】
また、制御部１１は、ユーザー操作に応じて画面に表示する番組情報データを蓄積部１３から出力するように制御する。
【００３５】
次に、実施例１のデジタル放送受信装置の動作を図２に示すフローチャートに基づいて説明する。
【００３６】
まず、ステップＳ１１０では、制御部１１は、ユーザーがチャンネル切り換え操作を行っているかどうかをＩ／Ｆ部１０からの信号により判断する。チャンネル切り換え操作を行っていない（ＮＯ）と判断した場合、ステップＳ１２０では、制御部１１は、選局部２ａ又は２ｂのうち現在視聴しているチャンネルを受信していない方に、現在視聴しているチャンネル以外のチャンネルを順次受信するように制御信号を出力する。次いでステップＳ１３０では、制御部１１は蓄積部１３に番組情報データを蓄積させるように制御する。その後、ステップＳ１１０に戻り以降の処理を繰り返す。
【００３７】
ステップＳ１１０において、ユーザーがチャンネル切り換え操作を行っている（ＹＥＳ）と判断した場合、ステップＳ１４０では、制御部１１は、視聴チャンネルの画像はそのまま表示し、切り換えチャンネルの番組情報データを蓄積部１３から出力してＯＳＤ処理部８で視聴チャンネルの画像と合成し、番組情報を表示部９に表示するように制御する。
【００３８】
次に、ステップＳ１５０では、制御部１１は、選局部２ａ又は２ｂのうち現在視聴しているチャンネル以外のチャンネルを順次受信している方に、そのバックグラウンド受信を中断し、切り換えチャンネルを受信するように制御信号を出力する。
【００３９】
そして、ステップＳ１６０では、制御部１１は、切り換えチャンネルにおいて安定した画像データが受信できるようになったかどうかを判断し、安定した画像データが受信できるようになった（ＹＥＳ）と判断した場合、ステップＳ１７０では、制御部１１は、セレクタ６に選局部２ａ又は２ｂの選択を切り換えるように制御信号を出力する。これにより安定した切り換えチャンネルが表示部９に表示される。
【００４０】
ステップＳ１６０で安定した画像データが受信できるようになっていない（ＮＯ）と判断した場合、ステップＳ１５０に戻り、以降の処理を繰り返す。
【００４１】
このように実施例１のデジタル放送受信装置によれば、視聴チャンネルの受信とは別に、バックグラウンドで視聴チャンネル以外のチャンネルを受信し、得られる番組情報データを蓄積し、ユーザーがチャンネルを切り換えた際、現在視聴しているチャンネルを表示したまま、切り換えチャンネルの番組情報をオンスクリーンで表示し、バックグラウンド受信していた選局部を切り換えチャンネルの受信に使い、切り換えチャンネルの画像が安定したら表示チャンネルを切り換えるようにしたので、チャンネル切り換えによる画面全体の切り換え動作の遅さによってユーザーに与えていたストレスが軽減され、スムーズなチャンネル切り換えができる。
【００４２】
また、必要最低限の画面遷移により、画面の切り換えによるユーザーの目の負担を最小限に抑えることができる。
【００４３】
ここで、実施例１では視聴チャンネル以外のチャンネルをバックグラウンドで受信し、番組情報データを蓄積するように構成したが、番組情報データのみ抽出して蓄積するのに、バックグラウンドで受信処理を行う必要がなければ、一括で番組情報データを取得および蓄積するようにしても良い。この場合、視聴チャンネルの受信で使用していない例えば選局部２ｂは、ユーザーが切換チャンネルを決定した際に、制御部１１によって切換チャンネルをバックグラウンドで受信するように制御し、受信状態が安定したらセレクタ６を切り換えるという方法が考えられる。
【００４４】
（実施例２）
本発明のデジタル放送受信装置の実施例２を図３乃至図５に基づいて説明する。図３は本発明の実施例２のデジタル放送受信装置を示すブロック図、図４は図３に示すデジタル放送受信装置の動作を示すフローチャート、図５は図３に示すデジタル放送受信装置におけるチャンネル切り換え操作と番組情報表示と放送番組表示切り換えのタイミングを示す図である。
【００４５】
実施例２のデジタル放送受信装置は、図３に示すように、図１に示すデジタル放送受信装置にタイマー１４を加え、ユーザーのリモコンなどによるチャンネル切り換え操作を監視するための時間計測に用いる構成としている。
【００４６】
ユーザー操作の監視処理は、制御部１１によって行い、ユーザーのチャンネル切り換え操作が連続的な操作か否かを判断するものである。
【００４７】
ここで、実施例２のデジタル放送受信装置の動作を図４に示すフローチャートに基づいて説明する。
【００４８】
まず、ステップＳ２１０において、ユーザーがリモコンなどによってチャンネル切り換え操作を行うと、ステップＳ２２０では、制御部１１は、視聴チャンネルの画像はそのまま表示し、切り換えチャンネルの番組情報データを蓄積部１３から出力してＯＳＤ処理部８で視聴チャンネルの画像データと合成し、番組情報を表示部９に表示するように制御する。
【００４９】
次に、ステップＳ２３０では、制御部１１は、ユーザーのチャンネル切り換え操作が連続操作であるかどうかを判断する。ユーザーが例えばリモコンボタンを素早く押し変える、又は、リモコンボタンを長押し状態にすると、タイマー１４及び制御部１１によってこの操作を検出する。
【００５０】
検出方法は、タイマー１４がリモコンボタンの押下時間や押下時間の間隔を計測し、計測データを制御部１１に出力する。制御部１１は、例えば予め設定された時間ｔ１より連続押下時間の間隔が短い場合、又は、予め設定された時間ｔ２よりリモコンボタンの長押し状態が長い場合、これを連続操作と判断する。
【００５１】
連続操作である（ＹＥＳ）と判断した場合、ステップＳ２２０に戻り、現在視聴しているチャンネルはそのまま表示し、チャンネル切り換え操作に応じて、番組情報データの表示を順次切り換えていく。
【００５２】
連続操作でない（ＮＯ）と判断した場合、ステップＳ２４０では、制御部１１は、選局部２ａ又は２ｂのうち現在視聴しているチャンネル以外のチャンネルを順次受信している方に、選択されたチャンネルの受信処理をバックグラウンドで行うように制御信号を出力する。
【００５３】
次に、ステップＳ２５０では、制御部１１は、ステップＳ２４０におけるバックグラウンド受信が行われている間にユーザーによるチャンネル切り換え操作が行われたかどうかを判断する。チャンネル切り換え操作が行われた（ＹＥＳ）と判断した場合、ステップＳ２２０に戻り、制御部１１はバックグラウンド受信を中止するように選局部２ａ又は２ｂに制御信号を出力する。また、チャンネル切り換え操作に対応する番組情報データの切り換え表示を続けるように制御する。
【００５４】
チャンネル切り換え操作が行われていない（ＮＯ）と判断した場合、ステップＳ２６０に進み、制御部１１は、バックグラウンド受信による画像が安定したかどうかを判断する。安定した（ＹＥＳ）と判断した場合、ステップＳ１７０では、制御部１１は、セレクタ６に選局部の選択を切り換えるように制御信号を出力する。これによりユーザーが選んだチャンネルが表示部９に表示される。
【００５５】
安定していない（ＮＯ）と判断した場合は、ステップＳ２４０に戻り以降の処理を繰り返す。
【００５６】
ここで、図５に基づいて、チャンネル切り換え操作と番組情報表示と放送番組表示切り換えのタイミングについて説明する。
【００５７】
まず、ユーザーが時間Ｔ１と時間Ｔ２においてリモコンボタンを素早く押し変えるチャンネル切り換え操作を行い、時間Ｔ１と時間Ｔ２の間隔は予め設定された時間ｔ１よりも短かいとすると、制御部１１は、ユーザーのチャンネル切り換え操作が連続操作であると判断する。この場合、時間Ｔ１においては、その時表示部９に表示されている放送番組が引き続き表示されたまま、時間Ｔ１で選択されたチャンネルの番組情報が表示される。時間Ｔ２では番組情報表示のみが時間Ｔ２で選択されたチャンネルのものに切り換わる。そして、時間Ｔ２で選択したチャンネルの受信が安定するまでの時間が経過した時間Ｔ３で、放送番組表示が時間Ｔ２で選択したチャンネルに切り換わる。その後一定時間経過すると番組情報表示が消滅する。
【００５８】
次に、時間Ｔ４からユーザーがリモコンのチャンネル送り選局のボタンを予め設定された時間ｔ２よりも長い時間押下したままの状態にしたとすると、制御部１１は、ユーザーのチャンネル切り換え操作が連続操作であると判断する。この場合、時間Ｔ４においては、その時表示部９に表示されている放送番組が引き続き表示されたまま、時間Ｔ４で選択されたチャンネルの番組情報が表示され、その後、選択チャンネルが切り換わる時間Ｔ５，Ｔ６，Ｔ７で番組情報表示が対応するチャンネルのものに切り換わる。そして、時間Ｔ７から番組情報表示が次のチャンネルのものに切り換わるまでの間にリモコンボタンの押下が終了すると、時間Ｔ７で選択したチャンネルの受信が安定するまでの時間が経過した時間Ｔ８に、放送番組表示が時間Ｔ７で選択したチャンネルに切り換わる。その後一定時間経過すると番組情報表示が消滅する。
【００５９】
次に、時間Ｔ９において、ユーザーが連続操作でないチャンネル切り換え操作を行うとする。この場合、時間Ｔ９においては、その時表示部９に表示されている放送番組が引き続き表示されたまま、時間Ｔ９で選択されたチャンネルの番組情報が表示され、時間Ｔ９で選択したチャンネルの受信が安定するまでの時間が経過した時間Ｔ１０に、放送番組表示が時間Ｔ９で選択したチャンネルに切り換わる。その後一定時間経過すると番組情報表示が消滅する。
【００６０】
上記に説明したように、ユーザーのチャンネル切り換え操作では、番組情報表示のみ対応して表示し、ユーザーの操作が中断してから選択したチャンネルの受信が安定するまでの時間が経過すると、表示された番組情報に対応する放送チャンネルが表示されるという流れになる。これにより、表示部９の画面全体の頻繁な切り換えを抑えることができる。
【００６１】
このように実施例２のデジタル放送受信装置によれば、ユーザーのチャンネル切り換え操作を監視し、連続的な操作か否かを判断し、判断結果によって、番組情報データ及びチャンネル切り換え処理を行うようにしたので、ユーザーは従来通りのチャンネル切り換え操作を行うだけで、スムーズなチャンネル切り換えが可能となる。また、画面全体の切り換え頻度を最低限に抑えることができ、画面の切り換えによるユーザーの目の負担を最小限に抑えることができる。
【００６２】
なお、実施例１及び実施例２におけるユーザーのチャンネル切り換え操作は、１２個の数字キーによるダイレクト選局と、チャンネルを一つづつ変えていくチャンネル送り選局のいずれの場合でも実現可能である。
【００６３】
また、選局部２ａ，２ｂの空いている一方の動作を、バックグラウンドで常に、ユーザーのチャンネル切り換え操作に追従して選局処理の中断及び再開を行うことで、切り換えチャンネルが表示されるまでの時間をより短くすることが可能である。
【００６４】
また、切り換えチャンネルの表示動作において、ユーザーのチャンネル切り換え操作が中断された状態を、ユーザーが表示されている番組情報を注視している、つまり、ユーザーが選択するであろうチャンネルと仮定し、対応するチャンネルをバックグラウンドで受信処理を行うようにしても良い。また、表示される番組情報により、ユーザーが見たいと判断した際、例えばリモコン上の「決定」ボタンを押すことで、バックグラウンドの受信処理を開始するようにしても良い。
【００６５】
以上本発明を適用した実施の形態について説明したが、本発明はこの実施の形態に限定されるものではない。
【図面の簡単な説明】
【００６６】
【図１】本発明の実施例１のデジタル放送受信装置を示すブロック図である。
【図２】図１に示すデジタル放送受信装置の動作を示すフローチャートである。
【図３】本発明の実施例２のデジタル放送受信装置を示すブロック図である。
【図４】図３に示すデジタル放送受信装置の動作を示すフローチャートである。
【図５】図３に示すデジタル放送受信装置におけるチャンネル切り換え操作と番組情報表示と放送番組表示切り換えのタイミングを示す図である。
【符号の説明】
【００６７】
１    アンテナ
２ａ，２ｂ    選局部
３ａ，３ｂ    チューナー部
４ａ，４ｂ    復調部
５ａ，５ｂ    ＴＳ分離部
６    セレクタ
７    ＭＰＥＧビデオデコード部
８    ＯＳＤ処理部
９    表示部
１０    Ｉ／Ｆ部
１１    制御部
１２    番組情報抽出部
１３    蓄積部
１４    タイマー
【図１】
2006197492.tif 000003
【図２】
2006197492.tif 000004
【図３】
2006197492.tif 000005
【図４】
2006197492.tif 000006
【図５】
2006197492.tif 000007